(57)【特許請求の範囲】
【請求項１】
放射線撮影または画像処理のための複数のコンソールと、
前記複数のコンソールと別に設けられた、前記複数のコンソールの各々で行われる放射線撮影条件および画像処理条件のいずれかの設定を統合して行う条件設定コンソールとを備え、
前記複数のコンソールの１つは、検査に応じた複数の検査条件情報を記憶する記憶部と、
前記記憶部に記憶された検査条件情報のいずれかを選択する選択入力部と、
前記選択入力部で選択された検査条件情報に含まれる複数の設定項目を、複数の階層からなる画面レイアウトに分けて表示する表示制御部とを有し、
前記表示制御部は、前記条件設定コンソールの画面に対し、前記選択入力部で選択された検査条件情報に含まれる複数の設定項目のうち、使用頻度の高い設定項目が最上位層の画面レイアウトに配置されるように表示すると共に、
前記表示制御部は、前記複数のコンソールの各々の画面に対し、前記選択入力部で選択された前記検査条件情報と同じ検査に対応する放射線撮影条件情報および画像処理条件情報のいずれかを、検査によらず、前記複数のコンソールごとに共通の画面レイアウトで表示することを特徴とする放射線撮影装置。
【請求項２】
請求項１に記載の放射線撮影装置において、
前記検査条件情報は、さらに使用頻度の高い設定項目を最上位層の画面レイアウトに強調して配置することを特徴とする放射線撮影装置。
【請求項３】
請求項１または２に記載の放射線撮影装置において、
前記検査条件情報は、さらに使用頻度の低い設定項目を下位層の画面レイアウトに移動し、または排除することを特徴とする放射線撮影装置。
【請求項４】
請求項１から３のいずれかに記載の放射線撮影装置において、
前記選択入力部で選択された検査条件情報が消化管の検査である場合、最上位層の画面レイアウトは、１枚撮影または複数枚撮影を選択する撮影条件選択ボタンと、分割撮影する領域を選択する分割撮影領域選択ボタンと、自動で設定された放射線照射条件を表示する放射線照射条件表示部とを有することを特徴とする放射線撮影装置。
【請求項５】
請求項１から４のいずれかに記載の放射線撮影装置において、
前記選択入力部で選択された検査条件情報が一般撮影の検査である場合、最上位層の画面レイアウトは、断層撮影を行う被検体の部位を選択する断層撮影部位選択ボタンと、放射線照射条件を手動で設定する放射線照射条件設定ボタンと、取得する断層画像の高さを手動で設定する断層高さ設定ボタンとを有することを特徴とする放射線撮影装置。
【請求項６】
請求項１から５のいずれかに記載の放射線撮影装置において、
前記選択入力部で選択された検査条件情報がＩＶＲの検査である場合、最上位層の画面レイアウトは、血管像の撮影条件を選択する血管像撮影選択ボタンと、ライブ像を取得する遅延時間を設定する遅延時間設定ボタンと、記憶された造影剤有りの血管画像を造影剤無しのリアルタイムの画像で減算処理した血管画像をリアルタイムで表示させるＭＡＰボタンとを有することを特徴とする放射線撮影装置。
【請求項７】
請求項１から６のいずれかに記載の放射線撮影装置において、
被検体に向けて放射線を照射する放射線照射部と、
前記被検体を透過した放射線を検出する放射線検出部とを備え、
前記選択入力部で選択された前記検査条件情報に基づいて、前記放射線照射部から放射線を照射するとともに、前記放射線検出部から出力された検出信号により放射線画像を取得して前記放射線画像に画像処理を行うことを特徴とする放射線撮影装置。
【発明の詳細な説明】
【技術分野】
【０００１】
本発明は、医療分野において、多目的検査に用いられる放射線撮影装置に係り、特にその操作性を向上するための技術に関する。
【背景技術】
【０００２】
従来、この種の装置として、Ｘ線を照射するＸ線管と、被検体を透過したＸ線を検出するＸ線検出器とを備えたＸ線撮影装置がある。Ｘ線管から天板に載置された被検体にＸ線を照射し、被検体を透過したＸ線の強度分布をＸ線検出器で検出している。そして、Ｘ線検出器から出力されたＸ線検出信号に対し画像処理を行い、画像処理されたＸ線画像（動画像および静止画像）をモニタなどの表示部に表示している。
【０００３】
Ｘ線撮影装置は、Ｘ線管、Ｘ線検出器および天板等が検査室に配置される。検査室には、観察用の窓を有するＸ線防護用の壁で仕切られた操作室が隣接して設けられ、操作室には、遠隔操作用コンソール（コントローラ）が配置される。この遠隔操作用コンソールを操作することで、Ｘ線画像を取得している（例えば特許文献１参照）。遠隔操作用コンソールは、図８に示すように、Ｘ線制御コンソール２１３と機構制御コンソール２２１とメインコンソール２２７とを備えている。
【０００４】
Ｘ線制御コンソール２１３は、Ｘ線を発生させるための操作を行うものであり、機構制御コンソール２２１は、Ｘ線管やＸ線検出器や天板を所定の位置に移動させるなどの操作を行うものである。また、メインコンソール２２７は、取得したＸ線画像に画像処理を行ったり、Ｘ線画像などをサーバーに転送したり、患者情報を入力したりする操作を行うものである。
【０００５】
また、Ｘ線撮影装置は、食道や胃腸などの消化管の撮影を行う消化管撮影や、胸部や股関節部の骨格などの撮影を行う一般撮影、被検体の血管内にカテーテルを挿入して施術部位まで進め、バルーン付きのカテーテルで狭窄血管を拡張したり、また、カテーテルの先端から抗癌剤や塞栓物質を注入したりする施術方法であるＩＶＲ(Interventional Radiology)での撮影等を行う。なお、ＩＶＲでの撮影では、例えば、造影剤の有無のＸ線画像を減算処理して得られる血管画像造影剤の有無のＸ線画像を減算処理するＤＳＡ（Digital Subtraction Angiography）などで得られる血管画像を記憶しておき、その血管画像と透視画像の血管内のカテーテルとを重ねて表示させている。そして、その画像を観察しながらカテーテル操作が行われる。
【０００６】
これらの撮影は、図９に示すように、まず、メインコンソール２２７の表示部に表示されたメニュー画面２００の複数の検査項目から、任意の検査項目を選択する。任意の検査項目が選択されると、選択された検査項目の画像処理条件情報がメインコンソール２２７に設定されるとともに、Ｘ線制御コンソール２１３と機構制御コンソール２２１とにＸ線撮影条件情報が通知されて設定される。
【０００７】
Ｘ線制御コンソール２１３では、Ｘ線撮影条件のうち、図１０に示すように、例えば、管電圧、管電流および照射時間等の設定が行われ、機構制御コンソール２２１では、Ｘ線撮影条件のうち、例えば、コリメータの照射野の設定等が行われる。そして、メインコンソール２２７では、例えば、図１１に示すような画像処理条件の設定が行われる。図１１は、従来の画像処理条件の画面レイアウトの一例を示す図である。具体的には、ＩＶＲの検査項目を選択したときの透視撮影の画像処理条件のＡＰＲ（アナトミカルプログラム）設定画面である。例えば、「ネガポジ反転」は、画像の白黒を反転させる処理の有無を選択するようになっており、「Window」と「Level」は、コントラストと明るさを調整するようになっている。この調整された画像処理条件に基づいて画像処理が行われ、表示部に取得したＸ線画像が表示される。また、メインコンソール２２７では、画像処理の設定の他に造影剤注入の制御設定や断層条件設定も行われる。
【０００８】
Ｘ線制御コンソール２１３と機構制御コンソール２２１とメインコンソール２２７は、それぞれの制御に応じたＸ線撮影条件や画像処理条件の設定を個別に行っている。すなわち、図９において、Ｘ線制御コンソール２１３では、例えば図１０に示すような、符号ＤのＸ線制御用の画面レイアウト（設定画面）が表示され、機構制御コンソール２２１では、符号Ｅの機構制御用の画面レイアウトが表示され、そして、メインコンソール２２７では、例えば図１１に示すような、符号Ｆの画像処理用の画面レイアウトが表示される。
【０００９】
また、検査中において、操作者は、Ｘ線制御コンソール２１３と機構制御コンソール２２１とメインコンソール２２７のそれぞれの表示部に表示された画面を見ながら操作する。メニュー画面２００からどの検査を選択しても各コンソールの各画面には、それぞれ同じ画面レイアウトが表示される。すなわち、図９に示すように、どの検査を選択しても、Ｘ線制御コンソール２１３には、符号ＤのＸ線制御用の画面レイアウトが表示され、機構制御コンソール２２１には、符号Ｅの機構制御用の画面レイアウトが表示され、そして、メインコンソール２２７には、符号Ｆの画像処理用の画面レイアウトが表示される。
【先行技術文献】
【特許文献】
【００１０】
【特許文献１】特開２０１０−１６７２５９号公報
【発明の概要】
【発明が解決しようとする課題】
【００１１】
しかしながら、このような従来装置の場合には、次のような問題がある。すなわち、メニュー画面からどの検査項目を選択しても各コンソールの各画面には、同じ画面レイアウトの設定画面が表示される。そのため、検査によっては、使い勝手の悪い画面レイアウトのものが存在するという問題点がある。例えば、普段めったに使用されない不要な設定項目が存在したり、設定項目が多数並んでいてどの項目を設定したらよいのかわかりにくいとの問題が存在したりしている。それにより、操作者による誤設定や時間ロスなどの弊害が生じている。
【００１２】
本発明は、このような事情に鑑みてなされたものであって、操作性を向上させることが可能な放射線撮影装置を提供することを目的とする。
【課題を解決するための手段】
【００１３】
本発明は、このような目的を達成するために、次のような構成をとる。すなわち、本発明に係る放射線撮影装置は、放射線撮影または画像処理のための複数のコンソールと、前記複数のコンソールと別に設けられた、前記複数のコンソールの各々で行われる放射線撮影条件および画像処理条件のいずれかの設定を統合して行う条件設定コンソールとを備え、前記複数のコンソールの１つは、検査に応じた複数の検査条件情報を記憶する記憶部と、前記記憶部に記憶された検査条件情報のいずれかを選択する選択入力部と、前記選択入力部で選択された検査条件情報に含まれる複数の設定項目を、複数の階層からなる画面レイアウトに分けて表示する表示制御部とを有し、前記表示制御部は、前記条件設定コンソールの画面に対し、前記選択入力部で選択された検査条件情報に含まれる複数の設定項目のうち、使用頻度の高い設定項目が最上位層の画面レイアウトに配置されるように表示すると共に、前記表示制御部は、前記複数のコンソールの各々の画面に対し、前記選択入力部で選択された前記検査条件情報と同じ検査に対応する放射線撮影条件情報および画像処理条件情報のいずれかを、検査によらず、前記複数のコンソールごとに共通の画面レイアウトで表示することを特徴とするを特徴とするものである。
【００１４】
本発明に係る放射線撮影装置によれば、複数のコンソールの１つは、検査に応じた複数の検査条件情報を記憶する記憶部と、記憶部に記憶された検査条件情報のいずれかを選択する選択入力部と、選択入力部で選択された検査条件情報に含まれる複数の設定項目を、複数の階層からなる画面レイアウトに分けて表示する表示制御部とを有している。表示制御部は、条件設定コンソールの画面に対し、選択入力部で選択された検査条件情報に含まれる複数の設定項目のうち、使用頻度の高い設定項目が最上位層の画面レイアウトに配置されるように表示する。一方、表示制御部は、複数のコンソールの各々の画面に対し、選択入力部で選択された検査条件情報と同じ検査に対応する放射線撮影条件情報および画像処理条件情報のいずれかを、検査によらず、複数のコンソールごとに共通の画面レイアウトで表示する。
条件設定コンソールの画面には、検査に応じた画面レイアウトが表示され、基本的に操作者はその画面レイアウトのみを見ながら操作が可能となる。最上位層の画面レイアウトに使用頻度の高い設定項目が配置されているので、撮影に必要な操作を簡単に行うことができ、操作性を向上させることができる。それにより、誤設定や時間ロスによる操作者や患者の負担が軽減させることができる。
また、操作者は、条件設定コンソールから、検査に応じた検査条件情報の放射線撮影条件および画像処理条件の設定項目のうち、使用頻度の高い設定項目を最上位層に配置された画面レイアウトのみを見ながら操作が可能となる。すなわち、複数のコンソールに表示された別々の画面を見て操作する必要が無く、条件設定コンソールの１つの同じ画面を見て操作することができる。そのため、条件設定コンソールでは、撮影に必要な操作を簡単に行うことができ、検査中の操作性を向上させることができる。一方、複数のコンソールでは、それぞれ放射線撮影条件または画像処理条件を行うようになっている。すなわち、従来のコンソールに加えて個別にコンソールを設けて撮影に必要な操作を行わせるようにすることにより、システム変更の負荷を軽減し、操作性の向上させた装置を容易に実現することができる。
【００１５】
また、本発明に係る放射線撮影装置において、前記検査条件情報は、さらに使用頻度の高い設定項目を最上位層の画面レイアウトに強調して配置することが好ましい。これにより、使用頻度の高い設定項目を探しやすくなり、操作性を向上させることができる。
【００１６】
また、本発明に係る放射線撮影装置において、前記検査条件情報は、さらに使用頻度の低い設定項目を下位層の画面レイアウトに移動し、または排除することが好ましい。すなわち、使用頻度の低い設定項目を下位層に移動、または排除することで画面が整理され見やすくなり、操作性を向上させることができる。
【００１８】
また、本発明に係る放射線撮影装置において、前記選択入力部で選択された検査条件情報が消化管の検査である場合、最上位層の画面レイアウトは、１枚撮影または複数枚撮影を選択する撮影条件選択ボタンと、分割撮影する領域を選択する分割撮影領域選択ボタンと、自動で設定された放射線照射条件を表示する放射線照射条件表示部とを有することが好ましい。最上位層の画面レイアウトから、撮影条件選択ボタンおよび分割撮影領域選択ボタンが操作され、放射線照射条件表示部には、自動で設定された放射線照射条件が表示される。そのため、消化管の検査に必要な操作を簡単に行うことができる。
【００１９】
また、本発明に係る放射線撮影装置において、前記選択入力部で選択された検査条件情報が一般撮影の検査である場合、最上位層の画面レイアウトは、断層撮影を行う被検体の部位を選択する断層撮影部位選択ボタンと、放射線照射条件を手動で設定する放射線照射条件設定ボタンと、取得する断層画像の高さを手動で設定する断層高さ設定ボタンとを有することが好ましい。最上位層の画面レイアウトから、断層撮影部位選択ボタン、放射線照射条件設定ボタンおよび断層高さ設定ボタンが操作される。そのため、一般撮影の検査に必要な操作を簡単に行うことができる。
【００２０】
また、本発明に係る放射線撮影装置において、前記選択入力部で選択された検査条件情報がＩＶＲの検査である場合、最上位層の画面レイアウトは、血管像の撮影条件を選択する血管像撮影選択ボタンと、ライブ像を取得する遅延時間を設定する遅延時間設定ボタンと、記憶された造影剤有りの血管画像を造影剤無しのリアルタイムの画像で減算処理された血管画像をリアルタイムで表示させるＭＡＰボタンとを有することが好ましい。最上位層の画面レイアウトから、血管像撮影選択ボタン、遅延時間設定ボタンおよびＭＡＰボタンが操作される。そのため、ＩＶＲの検査に必要な操作を簡単に行うことができる。
【００２１】
また、本発明に係る放射線撮影装置において、被検体に向けて放射線を照射する放射線照射部と、前記被検体を透過した放射線を検出する放射線検出部とを備え、前記選択入力部で選択された前記検査条件情報に基づいて、前記放射線照射部から放射線を照射するとともに、前記放射線検出部から出力された検出信号により放射線画像を取得して前記放射線画像に画像処理を行うことが好ましい。それにより、選択入力部で選択された検査条件情報に基づいて、Ｘ線画像を簡単に取得することができる。
【発明の効果】
【００２２】
本発明に係る放射線撮影装置によれば、複数のコンソールの１つは、検査に応じた複数の検査条件情報を記憶する記憶部と、記憶部に記憶された検査条件情報のいずれかを選択する選択入力部と、選択入力部で選択された検査条件情報に含まれる複数の設定項目を、複数の階層からなる画面レイアウトに分けて表示する表示制御部とを有している。表示制御部は、条件設定コンソールの画面に対し、選択入力部で選択された検査条件情報に含まれる複数の設定項目のうち、使用頻度の高い設定項目が最上位層の画面レイアウトに配置されるように表示する。一方、表示制御部は、複数のコンソールの各々の画面に対し、選択入力部で選択された検査条件情報と同じ検査に対応する放射線撮影条件情報および画像処理条件情報のいずれかを、検査によらず、複数のコンソールごとに共通の画面レイアウトで表示する。
条件設定コンソールの画面には、検査に応じた画面レイアウトが表示され、基本的に操作者はその画面レイアウトのみを見ながら操作が可能となる。最上位層の画面レイアウトに使用頻度の高い設定項目が配置されているので、撮影に必要な操作を簡単に行うことができ、操作性を向上させることができる。それにより、誤設定や時間ロスによる操作者や患者の負担が軽減させることができる。
また、操作者は、条件設定コンソールから、検査に応じた検査条件情報の放射線撮影条件および画像処理条件の設定項目のうち、使用頻度の高い設定項目を最上位層に配置された画面レイアウトのみを見ながら操作が可能となる。すなわち、複数のコンソールに表示された別々の画面を見て操作する必要が無く、条件設定コンソールの１つの同じ画面を見て操作することができる。そのため、条件設定コンソールでは、撮影に必要な操作を簡単に行うことができ、検査中の操作性を向上させることができる。一方、複数のコンソールでは、それぞれ放射線撮影条件または画像処理条件を行うようになっている。すなわち、従来のコンソールに加えて個別にコンソールを設けて撮影に必要な操作を行わせるようにすることにより、システム変更の負荷を軽減し、操作性の向上させた装置を容易に実現することができる。
【図面の簡単な説明】
【００２３】
【図１】実施例に係るＸ線撮影装置の概略構成を示すブロック図である。
【図２】実施例に係る消化管検査の最上位層の画面レイアウトの一例を示した図である。
【図３】実施例に係る一般撮影検査の最上位層の画面レイアウトの一例を示した図である。
【図４】実施例に係るＩＶＲ検査の最上位層の画面レイアウトの一例を示した図である。
【図５】実施例に係る各コンソールに表示される画面レイアウトの説明に供する図である。
【図６】実施例に係るＸ線撮影装置の動作の説明に供するフローチャートである。
【図７】変形例に係る各コンソールに表示される画面レイアウトの説明に供する図である。
【図８】従来の遠隔操作用コンソールの斜視図である。
【図９】従来の各コンソールに表示される画面レイアウトの説明に供する図である。
【図１０】従来の画像処理条件の画面レイアウトの一例を示す図である。
【図１１】従来の画像処理条件の画面レイアウトの一例を示す図である。
【実施例】
【００２４】
以下、図面を参照して本発明の実施例を説明する。図１は、実施例に係るＸ線撮影装置の概略構成を示すブロック図である。
【００２５】
図１を参照する。Ｘ線撮影装置１は、被検体Ｍを載置する天板３と、被検体Ｍに向けてＸ線を照射するＸ線管５と、被検体Ｍを挟んでＸ線管５と対向して配置され、被検体Ｍを透過したＸ線を検出するフラットパネル型Ｘ線検出器（以下、適宜「ＦＰＤ」と称する）７とを備えている。なお、Ｘ線管５は本発明における放射線照射部に相当し、ＦＰＤ７は放射線検出器に相当する。
【００２６】
Ｘ線管５は、その照射口に、Ｘ線の照射野を調整するコリメータ９が取り付けられている。Ｘ線管５には、高電圧発生部１１で発生された管電圧および管電流が与えられるようになっており、高電圧発生部１１は、Ｘ線制御コンソール１３より管電圧、管電流およびＸ線照射時間等のＸ線撮影条件やＸ線照射のタイミングの指示が与えられるようになっている。すなわち、Ｘ線制御コンソール１３は、Ｘ線管５のＸ線照射を制御するようになっている。
【００２７】
また、Ｘ線撮影装置１は、被検体Ｍが載置された天板３を移動させる天板移動機構１５と、被検体Ｍの所定の部位にＸ線を照射するために、Ｘ線管５の移動やその姿勢の変更を行うとともにコリメータ９の照射野を調整するＸ線管移動機構１７と、被検体Ｍを透過したＸ線を検出するようにＦＰＤ７を移動させるＸ線検出器移動機構１９とを備えている。これら天板移動機構１５とＸ線管移動機構１７とＸ線検出器移動機構１９は、機構制御コンソール２１により制御される。
【００２８】
また、Ｘ線撮影装置１は、ＦＰＤ７から出力されたＸ線検出信号を、アナログ値からデジタル値に変換するＡ／Ｄ変換器２３と、デジタル値に変換されたＸ線検出信号に対して、感度むらなどを補正するゲイン補正やＦＰＤ７の暗電流によるオフセット値を補正するオフセット補正などの画像処理を行う画像処理部２５とを備えている。画像処理部２５から出力されたＸ線画像は、メインコンソール２７に送信されて、メインコンソール２７により、さらに予め設定された画像処理条件で画像処理されて表示する等の制御が行われる。
【００２９】
また、Ｘ線撮影装置１は、放射線撮影または画像処理のための複数のコンソールであるＸ線制御コンソール１３、機構制御コンソール２１およびメインコンソール２７に加えて、条件設定コンソール２９を備えている。
【００３０】
Ｘ線撮影装置１は、観察用の窓を有するＸ線防護用の壁で仕切られた検査室３１と操作室３３とに分けて配置されている。検査室３１には、天板３、Ｘ線管５、ＦＰＤ７、コリメータ９、高電圧発生部１１、天板移動機構１５、Ｘ線管移動機構１７、Ｘ線検出器移動機構１９、Ａ／Ｄ変換器２３および画像処理部２５等が配置されている。一方、操作室３３には、Ｘ線制御コンソール１３、機構制御コンソール２１、メインコンソール２７および条件設定コンソール２９等の遠隔操作用コンソールが配置されている。
【００３１】
上述のように、Ｘ線制御コンソール１３は、Ｘ線管５のＸ線照射を制御するようになっている。機構制御コンソール２１は、天板移動機構１５とＸ線管移動機構１７とＸ線検出器移動機構１９とを動作させ、天板３、Ｘ線管５およびＦＰＤ７を所定の位置に移動するなどのＸ線撮影するための制御を行うようになっている。メインコンソール２７は、画像処理部２５から出力されたＸ線画像を、さらに画像処理して表示する等の制御を行うようになっている。また、条件設定コンソール２９は、Ｘ線制御コンソール１３、機構制御コンソール２１およびメインコンソール２７と別に設けられている。また、Ｘ線制御コンソール１３、機構制御コンソール２１、メインコンソール２７および条件設定コンソール２９は、相互に情報を交換できるようになっている。
【００３２】
Ｘ線制御コンソール１３は、記憶部４１、操作入力部４２、表示部４３および制御部４４等を備え、機構制御コンソール２１は、記憶部５１、操作入力部５２、表示部５３および制御部５４等を備えている。
【００３３】
記憶部４１，５１は、ＲＯＭ（Read-only Memory）、ＲＡＭ（Random-Access Memory）またはハードディスク等の記憶媒体で構成され、Ｘ線撮影条件や、各コンソール１３，２１の操作に必要な情報を記憶する。操作入力部４２，５２は、キーボード、マウス、ボタンスイッチ、ジョイスティックまたはタッチパネル等の少なくともいずれか１つから構成される。操作入力部４２，５２では、Ｘ線撮影条件の各設定項目（設定パラメータなど）の選択や数値などの入力が行われる。また、例えば、Ｘ線制御コンソール１３の操作入力部４２により、Ｘ線管５からのＸ線照射が行われ、機構制御コンソール２１の操作入力部５２により、天板３等の移動が行われる。
【００３４】
表示部４３，５３は、液晶表示パネルなどで構成され、Ｘ線撮影条件を表示するようになっている。制御部４４，５４は、中央演算処理装置（ＣＰＵ）などで構成されている。制御部４４，５４は、それぞれＸ線制御コンソール１３および機構制御コンソール２１の操作に必要な制御を実行する。
【００３５】
また、メインコンソール２７は、記憶部６１、操作入力部６２、表示部６３、主制御部６４および画像処理部６５等を備え、例えばパーソナルコンピュータ（ＰＣ）で構成される。メインコンソール２７の記憶部６１には、予め設定された複数の検査条件情報を記憶する検査条件情報記憶部６６が設けられている。記憶部６１および検査条件情報記憶部６６は、ＲＯＭ、ＲＡＭまたはハードディスク等の記憶媒体で構成されている。操作入力部６２は、キーボード、マウス、ボタンスイッチ、ジョイスティックまたはタッチパネル等の少なくともいずれか１つから構成される。操作入力部６２では、画像処理条件の各設定項目（設定パラメータなど）の選択や数値などの入力が行われる。また、検査後にも画像処理が行われる。
【００３６】
表示部６３は、液晶表示パネルなどで構成され、画像処理条件を表示するようになっている。主制御部６４は、メインコンソール２７の操作に必要な制御を実行するとともに、Ｘ線撮影装置１の各構成を統括的に制御している。画像処理部６５は、画像処理部２５から出力されたＸ線画像に対してさらに必要な画像処理を行う。例えば、コントラストや明るさ等の階調の調整や、ネガポジ反転、造影剤の有無のＸ線画像を減算処理して得られる血管画像の作成、断層画像の作成等が行われる。
【００３７】
また、条件設定コンソール２９は、記憶部７１、操作入力部７２、表示部７３および制御部７４等を備えている。記憶部７１は、ＲＯＭ、ＲＡＭまたはハードディスク等の記憶媒体で構成されている。操作入力部７２は、キーボード、マウス、ボタンスイッチ、ジョイスティックまたはタッチパネル等の少なくともいずれか１つから構成される。なお、操作入力部７２は、入力を簡単に行うことができるタッチパネルであることが好ましい。表示部７３は、液晶表示パネルなどで構成され、検査条件情報のＸ線撮影条件および画像処理条件を表示するようになっている。制御部７４は、条件設定コンソール２９の操作に必要な制御を実行する。
【００３８】
メインコンソール２７の検査条件情報記憶部６６には、「消化管」、「一般撮影」および「ＩＶＲ」等の検査に応じた検査条件情報が記憶されている。検査条件情報は、Ｘ線撮影条件および画像処理条件等から構成される。Ｘ線撮影条件として、例えば、管電圧、管電流、およびＸ線照射時間、撮影条件（例えば、ＩＶＲの検査項目での「ＤＡ（Digital Angiography）」、「ＤＳＡ」など）、収集レート、および照射野等の設定が挙げられる。また、画像処理条件として、例えば、ネガポジ反転、Window値、Level値、I-A Delay、およびM-A Delay等の設定が挙げられる。
【００３９】
検査条件情報は、検査に応じて、Ｘ線撮影条件および画像処理条件の設定項目のうち、使用頻度の高い設定項目を最上位層の画面レイアウトに配置し、また、使用頻度の高い設定項目を最上位層の画面レイアウトに強調して配置し、さらに、使用頻度の低い設定項目を下位層の画面レイアウトに移動し、または排除するようになっている。
【００４０】
また、メインコンソール２７の記憶部６１には、Ｘ線制御コンソール１３用のＸ線撮影条件と、機構制御コンソール２１用のＸ線撮影条件と、メインコンソール２７用の画像処理条件とが記憶されている。
【００４１】
「消化管」、「一般撮影」および「ＩＶＲ」等の検査項目がメインコンソール２７の選択入力部６２から選択されると、検査に応じたＸ線撮影条件情報、画像処理条件情報および検査条件情報が通知されて設定される。すなわち、Ｘ線制御コンソール１３には、Ｘ線制御コンソール１３用のＸ線撮影条件情報が通知されて設定される。機構制御コンソール２１には、機構制御コンソール２１用のＸ線撮影条件情報が通知されて設定される。メインコンソール２７には、メインコンソール２７用の画像処理条件情報が設定される。そして、条件設定コンソール２９には、検査条件情報が通知されて設定される。
【００４２】
図２〜図４を参照して、条件設定コンソール２９に表示される検査別画面レイアウトの一例を説明する。図２は、消化管検査の最上位層の画面レイアウトの一例を示した図であり、図３は、一般撮影検査の最上位層の画面レイアウトの一例を示した図である。また、図４は、ＩＶＲ検査の最上位層の画面レイアウトの一例を示した図である。
【００４３】
図２に示すように、選択入力部６２で選択された検査条件情報が消化管の検査である場合、最上位層の画面レイアウト８０は、１枚撮影または複数枚撮影を選択する撮影条件選択ボタン８１と、分割撮影する領域を選択する分割撮影領域選択ボタン８２と、自動で設定されたＸ線照射条件を表示するＸ線照射条件表示部８３とを有する。なお、Ｘ線照射条件表示部８３は、本発明の放射線照射条件表示部に相当する。
【００４４】
撮影条件選択ボタン８１は、１枚のＸ線画像を取得するスポット撮影（SPOT）や複数枚のＸ線画像を連続して取得する連続撮影（Serial）等の撮影条件（方法）を選択するようになっている。なお、図２では「Serial」が選択されている。「SPOT」および「Serial」は、その撮影条件内容をエディットして予め登録するようになっている。分割撮影領域選択ボタン８２は、ＦＰＤ７の検出領域を例えば１／２や１／４に分割して撮影するようになっており、分割撮影の切替を容易にできるようになっている。Ｘ線照射条件表示部８３は、例えば、管電圧、管電流およびＸ線照射時間の自動で設定された値が表示される。
【００４５】
また、収集レート／時間変更・Prog.Seq.変更ボタン８４は、１秒当たりの撮影枚数を表す収集レートと、その収集レートで撮影する時間の変更、およびProg.Seq.（Program Sequence）の変更をするようになっている。収集レート／時間変更は、例えば、収集レートを５ｆｐｓとし、時間を１秒とすることにより、５ｆｐｓ、１秒間の撮影で５枚のＸ線画像が取得される。また、Prog.Seq.変更は、例えば、Serial 3fps 1sec → Pause 2sec → SPOT → Serial 3fps 1sec のように撮影動作を予め設定し、図示しない曝射スイッチを押すと予め設定された撮影動作を順次実行する。このように変更ボタン８４を選択すると、ルーチン設定等ができるようになっている。
【００４６】
最上位層の画面レイアウト８０から、撮影条件選択ボタン８１および分割撮影領域選択ボタン８２等が操作され、Ｘ線照射条件表示部８３には、自動で設定されたＸ線照射条件が表示される。そのため、消化管の検査に必要な操作を簡単に行うことができる。
【００４７】
また、図３に示すように、選択入力部６２で選択された検査条件情報が一般撮影の検査である場合（かつTOMOSを選択した場合）、最上位層の画面レイアウト９０は、断層撮影を行う被検体Ｍの部位を選択する断層撮影部位選択ボタン９１と、Ｘ線照射条件を手動で設定するＸ線照射条件設定ボタン９２と、取得する断層画像の高さを手動で設定する断層高さ設定ボタン９３とを有する。なお、Ｘ線照射条件設定ボタン９２は、本発明の放射線照射条件設定ボタンに相当する。
【００４８】
断層撮影部位選択ボタン９１は、被検体Ｍの「Chest（胸部）」、「Hip-Joint（股関節部）」、「Spine（脊柱部）」および「Hand（手部）」の部位の断層画像（TOMO/TOMOS）等の撮影条件（方法）が選択できるようになっている。なお、図３では、「Hand（手部）」が選択されている。Ｘ線照射条件設定ボタン９２は、例えば、管電圧、管電流およびＸ線照射時間の設定を手動で行うようになっている。断層高さ設定ボタン９３は、例えば、取得する断層画像の天板３からの高さの設定を行う。
【００４９】
また、一般撮影では、断層画像を取得するだけでなく、スポット撮影（SPOT）、連続撮影（Serial）およびスロット撮影（SLOT）を選択できるようになっている。スロット撮影は、スロット状のＸ線を照射して細長のＸ線画像を取得し、細長の複数枚のＸ線画像の長辺側を結合させて１枚のＸ線画像を取得する。また、図３の符号９４はページを表す。ページ変更ボタン９５を選択すると、ページ変更されて「SPOT」、「Serial」または「SLOT」の撮影条件の各項目が現れる。例えば「SPOT」を選択すると、撮影条件に応じた設定項目が表示される。なお、最上層の画面レイアウトに「SPOT」、「Serial」または「SLOT」を選択できるように表示してもよい。
【００５０】
最上位層の画面レイアウト９０から、断層撮影部位選択ボタン９１、Ｘ線照射条件設定ボタン９２および断層高さ設定ボタン９３等が操作される。そのため、一般撮影の検査に必要な操作を簡単に行うことができる。
【００５１】
また、図４に示すように、選択入力部６２で選択された検査条件情報がＩＶＲの検査である場合、最上位層の画面レイアウト１００は、血管像の撮影条件を選択する血管像撮影選択ボタン１０１と、ライブ像を取得する遅延時間を設定する遅延時間設定ボタン１０２と、記憶された造影剤有りの血管画像を造影剤無しのリアルタイムの画像で減算処理した血管画像をリアルタイムで表示させるＭＡＰボタン１０３とを有する。
【００５２】
血管像撮影選択ボタン１０１は、造影剤を注入して骨などの含む血管画像を得る「ＤＡ」、造影剤を注入して撮影されたライブ像から造影剤を注入する前のマスク像を減算処理したＸ線画像を得る「ＤＳＡ」、リアルタイム・スムージング処理（フィルタ処理）済のマスク像をライブ像から減算処理してＸ線画像を得る「RSM(Realtime Smoothed Mask)-DSA」、および、１枚のＸ線画像を取得する「SPOT」等の撮影条件（方法）を選択できるようになっている。なお、図４では「ＤＳＡ」が選択されている。
【００５３】
遅延時間設定ボタン１０２は、「I-A Delay」、「M-A Delay」の設定が行えるようになっている。「ＤＳＡ」の撮影では、一般的に、マスク像の撮影、造影剤注入（Injection）、ライブ像（Active像）の順番で行われる。「I-A Delay」は、造影剤の注入からライブ像撮影の遅延時間を設定し、「M-A Delay」は、マスク像撮影からライブ像撮影の遅延時間を設定するようになっている。ＭＡＰボタン１０３は、透視表示の切替が容易に行えるようになっており、選択すると有効になる。ＭＡＰボタン１０３は、造影剤ありの透視画像（動画像）を記憶部６１に記憶しておき、そして造影剤無しのリアルタイムの透視画像で減算処理して血管画像をリアルタイムで表示させることができるようになっている。主にカテーテルの位置確認やロードマップとして用いられる。
【００５４】
また、収集レート／時間変更・Prog.Seq.変更ボタン１０４は、１秒当たりの撮影枚数を表す収集レートと、その収集レートで撮影する時間の変更、およびProg.Seq.の変更をするようになっている。変更ボタン１０４を選択すると、ルーチン設定等ができるようになっている。Ｘ線照射条件表示部１０５は、例えば、管電圧、管電流およびＸ線照射時間の自動で設定された値が表示される。ＩＢＳボタン１０６は、透視画像の輝度レベルから基準輝度レベルになるように管電圧、管電流を自動設定し、ＩＢＳシフトボタン１０７は、カテーテル操作を容易にするために基準輝度レベルを変更する。
【００５５】
最上位層の画面レイアウト１００から、血管像撮影選択ボタン１０１、遅延時間設定ボタン１０２およびＭＡＰボタン１０３等が操作される。そのため、ＩＶＲの検査に必要な操作を簡単に行うことができる。
【００５６】
図２〜図４に示すように、消化管、一般撮影およびＩＶＲ等の検査項目で、最上位層の画面レイアウトには、各検査に応じて、Ｘ線撮影条件および画像処理条件の設定項目のうち、使用頻度の高い設定項目を配置している。また、図４の「I-A Delay、M-A Delay」ボタンや「ＭＡＰ」ボタンのように、使用頻度の高い設定項目は、選択されるボタンを大きくすることで強調して配置するようになっている。また、使用頻度の高い設定項目のボタンの色を変更したり、文字を太くするなどしたりすることで強調するようにしてもよいし、例えば上側または左側から配置させることで強調するようにしてもよい。また、使用頻度の低い設定項目を下位層の画面レイアウトに移動し、または排除するようになっている。すなわち、検査に応じて、使用頻度の低い設定項目は、例えば、図２の符号ｐに示すような、タブを選択したり、設定項目を選択したりすることにより別ウィンドウ（ダイアログ）に移動し、設定パラメータを変更できるようになっている。また、図２の符号ｑに示す逆三角形のプルダウンメニューのように、選択すると一覧を表示させるようにしてもよい。すなわち、下位層で変更できるようになっている。さらにそこから別ウィンドウの下位層に移動し、設定パラメータを変更できるようにしてもよい。また、検査に応じて、使用頻度の低い設定項目は、排除するようにしてもよい。
【００５７】
また、このような検査に応じた画面レイアウトの検査条件情報は、図５に示すように、条件設定コンソール２９の表示部７３に表示される。すなわち、条件設定コンソール２９は、Ｘ線制御コンソール１３、機構制御コンソール２１およびメインコンソール２７で行われるＸ線撮影条件および画像処理条件の設定を統合して行うことができるようになっている。
【００５８】
メインコンソール２７の表示部６３に表示されたメニュー画面１１１の検査項目の一覧から、消化管、一般撮影およびＩＶＲ等の検査項目のいずれかを選択する。例えば、消化管を選択すると、条件設定コンソール２９の表示部７３には、符号Ａに示すような消化管用の画面レイアウトが表示される。一方、表示部４３，５３，６３には、従来の放射線撮影条件または画像処理条件の設定を行う画面レイアウトが表示されるようになっている。すなわち、Ｘ線制御コンソール１３には、符号ＤのＸ線制御用の画面レイアウトが表示され、機構制御コンソール２１には、符号Ｅの機構制御用の画面レイアウトが表示され、そして、メインコンソール２７には、符号Ｆの画像処理用の画面レイアウトが表示される。
【００５９】
同様に、メニュー画面１１１から一般撮影の検査項目を選択すると、条件設定コンソール２９の表示部７３には、符号Ｂに示すような一般撮影用の画面レイアウトが表示され、ＩＶＲの検査項目を選択すると、符号Ｃに示すようなＩＶＲ用の画面レイアウトが表示される。
【００６０】
次に、図６を参照して、Ｘ線撮影装置の動作をフローチャートに沿って説明する。図６は、実施例に係るＸ線撮影装置の動作の説明に供するフローチャートである。
【００６１】
〔ステップＳ０１〕検査項目の選択
図５に示すように、メインコンソール２７の表示部６３に表示されたメニュー画面１１１から、消化管、一般撮影およびＩＶＲ等の検査項目のいずれかを選択する。検査項目の選択は、選択入力部６２で行われる。選択入力部６２により複数の検査項目のいずれかが選択されると、検査条件情報記憶部６６に記憶された、検査ごとに設けられた複数の検査条件情報のうち、選択入力部６２で選択された検査項目の検査条件情報が読み出される。また、記憶部６１に記憶された検査ごとに設けられた複数のＸ線撮影条件情報および画像処理条件情報のうち、選択入力部６２で選択された検査項目のＸ線撮影条件情報および画像処理条件情報が読み出される。なお、このステップの前に、メインコンソール２７において、被検体Ｍの情報の入力等が行われる。
【００６２】
〔ステップＳ０２〕検査条件情報の通知
Ｘ線制御コンソール１３には、Ｘ線制御コンソール１３用のＸ線撮影条件が通知されて設定され、機構制御コンソール２１には、機構制御コンソール２１用のＸ線撮影条件情報が通知されて設定される。メインコンソール２７には、メインコンソール２７用の画像処理条件情報が設定される。そして、条件設定コンソール２９には、検査条件情報が通知されて設定される。設定されたＸ線撮影条件情報、画像処理条件情報および検査条件情報は、各記憶部４１，５１，６１，７１に記憶され、各表示部４３，５３，６３，７３に表示される。
【００６３】
条件設定コンソール２９の表示部７３には、検査に応じた検査条件情報の画面レイアウトが表示される。検査条件情報は、検査に応じて、Ｘ線撮影条件および画像処理条件の設定項目のうち、使用頻度の高い設定項目が最上位層の画面レイアウトに配置され、また、使用頻度の高い設定項目が最上位層の画面レイアウトに強調して配置されている。最上位層の画面レイアウトに使用頻度の高い設定項目が配置されているので、必要な操作を簡単に行うことができる。また、強調して配置しているので、使用頻度の高い設定項目を探しやすくすることができる。さらに、検査条件情報は、使用頻度の低い設定項目を下位層の画面レイアウトに移動し、または排除するようになっている。それにより、画面が整理されて見やすくすることができる。
【００６４】
〔ステップＳ０３〕検査条件情報の詳細設定
条件設定コンソール２９の表示部７３に表示された検査条件情報のＸ線撮影条件および画像処理条件を操作入力部７２から設定する。また、条件設定コンソール２９の選択入力部７２で検査条件情報の設定項目が変更されると、Ｘ線制御コンソール１３、機構制御コンソール２１およびメインコンソール２７に変更された設定項目が通知されるようになっている。
【００６５】
〔ステップＳ０４〕Ｘ線撮影
図１に示すように、条件設定コンソール２９の選択入力部７２の図示しない曝射スイッチにより、検査条件情報に基づいてＸ線管５からＸ線が照射される。照射されたＸ線は被検体Ｍを透過し、被検体Ｍを透過したＸ線はＦＰＤ７で検出され、Ｘ線強度分布に応じたＸ線検出信号が出力される。
【００６６】
出力されたＸ線検出信号は、Ａ／Ｄ変換器２３でデジタル値のＸ線検出信号に変換される。デジタル値に変換されたＸ線検出信号は、画像処理部２５によりオフセット補正やゲイン補正などが行われて、Ｘ線画像として出力される。画像処理部２５から出力されたＸ線画像は、メインコンソール２７に送信される。メインコンソール２７の画像処理部６５は、ステップＳ０３で予め設定された検査条件情報に基づき、必要な画像処理を行う。例えば、コントラストや明るさなどの階調の調整や、造影剤の有無のＸ線画像を減算処理して得られる血管画像の作成、断層画像の作成等を行う。そして、画像処理されたＸ線画像は、メインコンソール２７の表示部６３に表示される。また、検査室３１内にも表示部が配置されている場合は、その表示部にも画像処理部６５で画像処理されたＸ線画像を表示するようにしてもよい。なお、Ｘ線撮影は、主に位置合わせで用いられる透視画像（動画像）の撮影や撮影画像（静止画像）の撮影が行われる。
【００６７】
上述した実施例に係るＸ線撮影装置１によれば、Ｘ線撮影条件および画像処理条件の設定条件のうち、使用頻度の高い設定条件を最上位層の画面レイアウトに配置した検査に応じた複数の検査条件情報を検査条件情報記憶部６６に記憶し、選択入力部６２で選択された検査条件情報を表示部７３に表示させている。検査に応じた画面レイアウトが表示部７３に表示され、基本的に操作者はその画面レイアウトのみを見ながら操作が可能となる。最上位層の画面レイアウトに使用頻度の高い設定条件が配置されているので、撮影に必要な操作を簡単に行うことができ、操作性を向上させることができる。それにより、誤設定や時間ロスによる操作者や患者の負担を軽減させることができる。
【００６８】
また、検査条件情報は、さらに使用頻度の高い設定項目を最上位層の画面レイアウトに強調して配置しているので、使用頻度の高い設定項目を探しやすくなり、操作性を向上させることができる。
【００６９】
また、検査条件情報は、さらに使用頻度の低い設定項目を下位層の画面レイアウトに移動し、または排除するので、画面が整理され見やすくなり、操作性を向上させることができる。
【００７０】
また、Ｘ線撮影装置１において、放射線撮影または画像処理のための複数のコンソール、すなわち、Ｘ線制御コンソール１３、機構制御コンソール２１およびメインコンソール２７と別に設けられた条件設定コンソール２９の表示部７３に検査条件情報を表示させている。これにより、操作者は、条件設定コンソールから、検査に応じた検査条件情報の放射線撮影条件および画像処理条件の設定項目のうち、使用頻度の高い設定項目を最上位層に配置された画面レイアウトのみを見ながら操作が可能となる。条件設定コンソールでは、撮影に必要な操作を簡単に行うことができ、検査中の操作性を向上させることができる。一方、複数のコンソールでは、それぞれ放射線撮影条件または画像処理条件を行うようになっている。すなわち、従来のコンソールに加えて個別にコンソールを設けて撮影に必要な操作を行わせるようにすることにより、システム変更の負荷を軽減し、操作性の向上させた装置を容易に実現することができる。
【００７１】
すなわち、条件設定コンソール２９は、各コンソール１３，２１，２７で設定するＸ線撮影条件および画像処理条件を統合し、Ｘ線撮影条件および画像処理条件の設定条件のうち、使用頻度の高い設定条件を検査に応じて最上位層に配置させた画面レイアウトを表示する。各コンソール１３，２１，２７に表示された別々の画面を見て操作する必要が無く、条件設定コンソール２９の１つの同じ画面を見て操作することができる。そのため、撮影に必要な操作を簡単に行うことができ、操作性を向上させることができる。
【００７２】
また、Ｘ線撮影装置１は、被検体Ｍに向けてＸ線を照射するＸ線管５と、被検体Ｍを透過したＸ線を検出するＦＰＤ７とを備え、選択入力部４２，５２，６２で選択された検査条件情報に基づいて、Ｘ線管５からＸ線を照射するとともに、ＦＰＤ７から出力された検出信号によりＸ線画像を取得してそのＸ線画像に画像処理を行っている。各コンソール１３，２１，２７からの検査条件情報の設定を簡単に行うことができので、選択入力部４２，５２，６２で選択された検査条件情報に基づいて、Ｘ線画像を簡単に取得することができる。
【００７３】
本発明は、上記実施形態に限られることはなく、下記のように変形実施することができる。
【００７４】
（１）上述した実施例では、検査室３１と操作室３３とを区別して配置しているが、特に区別する必要がない場合は、区別しなくてもよい。また、Ｘ線制御コンソール１３、機構制御コンソール２１、メインコンソール２７および条件設定コンソール２９を検査室３１に配置してもよい。
【００７５】
（２）上述した実施例では、Ｘ線制御コンソール１３、機構制御コンソール２１およびメインコンソール２７と別に条件設定コンソール２９を設け、その表示部７３に表示された検査条件情報の画面レイアウトに基づいて操作されるが、この構成に限定されない。図７に示すように、例えば、メインコンソール２７の表示部６３に検査条件情報を表示させて、メインコンソール２７から操作されるようにしてもよい。この場合、例えば、画像処理用の画面レイアウトＦと消化管用の画面レイアウトＡとを符号ｒで示す画面切替ボタンを設けて、切り替えるようにしてもよい。また、Ｘ線制御コンソール１３および機構制御コンソール２１でも同様であり、複数のコンソールに適用させてもよい。また、各コンソール１３，２１，２７に検査条件情報を表示させて、各コンソール１３，２１，２７から操作するようにしてもよい。
【００７６】
（３）上述した実施例では、条件設定コンソール２９は、Ｘ線制御コンソール１３、機構制御コンソール２１およびメインコンソール２７で行われるＸ線撮影条件および画像処理条件の設定を統合して行うことができるようになっているが、この構成に限定されない。すなわち、条件設定コンソール２９は、Ｘ線制御コンソール１３、機構制御コンソール２１およびメインコンソール２７以外の他のコンソールで行われる条件設定を検査条件情報に含めて条件設定を行うようにしてもよい。
【００７７】
（４）上述した実施例では、放射線撮影装置の一例としてＸ線撮影装置１を説明したが、この構成に限定されない。例えば、放射線同位体元素（ＲＩ）を投与された被検体から放射されるγ線を検出するγ線検出器を備えたＥＣＴ（Emission Computed Tomography）装置であってもよい。また、放射線撮影装置は、Ｘ線ＣＴ（Computed Tomography）装置であってもよい。
【００７８】
（５）上述した実施例では、Ｘ線撮影装置１は、Ｘ線を検出するＸ線検出器として、ＦＰＤ７を備えていたが、この構成に限定されない。例えば、Ｘ線検出器として、イメージインテンシファイアを用いてもよい。
【符号の説明】
【００７９】
１    …  Ｘ線撮影装置
５    …  Ｘ線管
７    …  フラットパネル型Ｘ線検出器（ＦＰＤ）
１３  …  Ｘ線制御コンソール
２１  …  機構制御コンソール
２７  …  メインコンソール
２９  …  条件設定コンソール
４１，５１，６１，７１  …  記憶部
４２，５２，６２，７２  …  操作入力部
４３，５３，６３，７３  …  表示部
６４  …  主制御部
６５  …  画像処理部
６６  …  検査条件情報記憶部
８０，９０，１００  …  画面レイアウト
８１  …  撮影条件選択ボタン
８２  …  分割撮影領域選択ボタン
８３  …  Ｘ線照射条件表示部
９１  …  断層撮影部位選択ボタン
９２  …  Ｘ線照射条件設定ボタン
９３  …  断層高さ設定ボタン
１０１  …  血管像撮影選択ボタン
１０２  …  遅延時間設定ボタン
１０３  …  ＭＡＰボタン
Ａ    …  消化管用の画面レイアウト（検査条件情報）
Ｂ    …  一般撮影用の画面レイアウト（検査条件情報）
Ｃ    …  ＩＶＲ用の画面レイアウト（検査条件情報）
【図１】
0005573688.tif 000002
【図２】
0005573688.tif 000003
【図３】
0005573688.tif 000004
【図４】
0005573688.tif 000005
【図５】
0005573688.tif 000006
【図６】
0005573688.tif 000007
【図７】
0005573688.tif 000008
【図８】
0005573688.tif 000009
【図９】
0005573688.tif 000010
【図１０】
0005573688.tif 000011
【図１１】
0005573688.tif 000012